(57)【要約】【課題】美観を向上させることができるキッチンキャビネットを提供する。【解決手段】本実施の形態に係るキッチンキャビネットは、天板２１を有し、前側が開口しているキャビネット本体を備え、前記天板２１の下側にて前側に露出する露出部分を有するようにして厨房機器（ビルトインコンロ）が組み込まれるキッチンキャビネット１において、前記天板２１の前縁と前記露出部分との間に生じる隙間を目隠しする目隠し部材４と、前記キャビネット本体２に固定され、前記目隠し部材４を支持する支持具５と、該支持具５と前記目隠し部材４との間に介在し、前記目隠し部材４を前記支持具５に装着するための磁石６とを備えることを特徴とする。【選択図】図５
2020028491.tif 000002
【特許請求の範囲】
【請求項１】
天板を有し、前側が開口しているキャビネット本体を備え、
前記天板の下側にて前側に露出する露出部分を有するようにして厨房機器が組み込まれるキッチンキャビネットにおいて、
前記天板の前縁と前記露出部分との間に生じる隙間を目隠しする目隠し部材と、
前記キャビネット本体に固定され、前記目隠し部材を支持する支持具と、
該支持具と前記目隠し部材との間に介在し、前記目隠し部材を前記支持具に装着するための磁石と
を備えることを特徴とするキッチンキャビネット。
【請求項２】
前記キャビネット本体は、
前記厨房機器の前記露出部分の左右両側に配される２枚の壁板
を有し、
前記隙間は、前記天板の前縁と前記露出部分と前記２枚の壁板との間にて左右方向に延び、
前記目隠し部材は、
左右方向に延び、一面が前に向く帯状の目隠し本体と、
該目隠し本体の左右両端から後向きに立ち上がり、夫々の一面同士が対向している２つの舌片と
を有し、
２つの前記支持具に前記目隠し部材の左右方向の両端部が装着され、
各支持具は、
前記磁石を介して前記目隠し本体の後面に装着される装着部と、
前記２枚の壁板の近い方に固定される固定部と、
前記装着部と前記固定部との間に設けられており、前記舌片を挿入可能な凹部と
を有することを特徴とする請求項１に記載のキッチンキャビネット。
【請求項３】
前記キャビネット本体は、
前記厨房機器の前記露出部分の左右両側に配される２枚の壁板
を有し、
前記隙間は、前記天板の前縁と前記露出部分と前記２枚の壁板との間にて左右方向に延び、
前記目隠し部材は、
左右方向に延び、一面が前に向く帯状の目隠し本体と、
該目隠し本体の上下両端から後向きに立ち上がり、夫々の一面同士が対向している２つの側片と
を有し、
２つの前記支持具に前記目隠し部材の左右方向の両端部が装着され、
各支持具は、
上下方向の長さが前記２つの側片の上下方向の離隔距離よりも短く、前記磁石を介して前記目隠し本体の後面に装着される装着部と、
前記２枚の壁板の近い方に固定される固定部と
を有することを特徴とする請求項１に記載のキッチンキャビネット。
【請求項４】
前記支持具は、
前記磁石を介して前記目隠し部材が装着される装着部と、
前後方向に延びる長孔が設けられており、該長孔を通して前記キャビネット本体にビス留め固定される固定部と
を有することを特徴とする請求項１に記載のキッチンキャビネット。
【請求項５】
前記支持具は磁性体製であり、
前記目隠し部材に前記磁石が取り付けられていることを特徴とする請求項１から４の何れか一項に記載のキッチンキャビネット。
【発明の詳細な説明】
【技術分野】
【０００１】
本発明は、厨房機器が組み込まれるキッチンキャビネットに関する。
【背景技術】
【０００２】
キッチンキャビネットには、ビルトインコンロ又は食器洗い乾燥機等の厨房機器が組み込まれることがある。
例えば、特許文献１に記載のドロップインコンロ（ビルトインコンロ）を組み込むために、キッチンキャビネットのカウンタトップ（天板）には開口が設けられている。ドロップインコンロのコンロ本体は、カウンタトップの開口を通してキッチンキャビネットの内部に落とし込まれる。コンロ本体の上部に設けられているフランジがカウンタトップの開口の周縁部に当接することによって、コンロ本体はカウンタトップに吊り下げ支持される。コンロ本体の前部はカウンタトップの下側にて前側に露出する。
【０００３】
特許文献１に記載のドロップインコンロの場合、コンロ本体の前部とカウンタトップの前縁との間に隙間が生じる。この隙間を目隠しするために、フィラー部材（目隠し部材）がドロップインコンロにビス留めされる。
【先行技術文献】
【特許文献】
【０００４】
【特許文献１】特開平１０−２１３３２７号公報
【発明の概要】
【発明が解決しようとする課題】
【０００５】
特許文献１に記載のドロップインコンロの場合、フィラー部材がドロップインコンロにビス留めされるので、フィラー部材の位置を調整することができない。故に、寸法誤差又は組み立て誤差等が原因で、フィラー部材を適切な位置に配することができないことがある。不適切な位置に配されたフィラー部材はコンロ本体とカウンタトップとの間の隙間を適切に目隠しすることができないので、美観が損なわれる虞がある。
【０００６】
本発明は斯かる事情に鑑みてなされたものであり、その主たる目的は、美観を向上させることができるキッチンキャビネットを提供することにある。
【課題を解決するための手段】
【０００７】
本実施の形態に係るキッチンキャビネットは、天板を有し、前側が開口しているキャビネット本体を備え、前記天板の下側にて前側に露出する露出部分を有するようにして厨房機器が組み込まれるキッチンキャビネットにおいて、前記天板の前縁と前記露出部分との間に生じる隙間を目隠しする目隠し部材と、前記キャビネット本体に固定され、前記目隠し部材を支持する支持具と、該支持具と前記目隠し部材との間に介在し、前記目隠し部材を前記支持具に装着するための磁石とを備えることを特徴とする。
【０００８】
本実施の形態にあっては、目隠し部材が磁石を介して支持具に装着される。故に、支持具に装着された目隠し部材の位置を容易に調整することができる。従って、厨房機器と天板との間の隙間を適切に目隠しすることができる。この結果、キッチンキャビネットの美観を向上させることができる。
【０００９】
本実施の形態に係るキッチンキャビネットは、前記キャビネット本体は、前記厨房機器の前記露出部分の左右両側に配される２枚の壁板を有し、前記隙間は、前記天板の前縁と前記露出部分と前記２枚の壁板との間にて左右方向に延び、前記目隠し部材は、左右方向に延び、一面が前に向く帯状の目隠し本体と、該目隠し本体の左右両端から後向きに立ち上がり、夫々の一面同士が対向している２つの舌片とを有し、２つの前記支持具に前記目隠し部材の左右方向の両端部が装着され、各支持具は、前記磁石を介して前記目隠し本体の後面に装着される装着部と、前記２枚の壁板の近い方に固定される固定部と、前記装着部と前記固定部との間に設けられており、前記舌片を挿入可能な凹部とを有することを特徴とする。
【００１０】
本実施の形態にあっては、２つの舌片が目隠し本体の左右両端部から後向きに立ち上がる。故に、目隠し部材によって、厨房機器と天板との間の隙間を前側及び左右両側から目隠しすることができる。
支持具の凹部は、支持具が目隠し部材の舌片に干渉することを抑制することができる。故に、目隠し部材の位置を左右方向に調整することができる。
【００１１】
本実施の形態に係るキッチンキャビネットは、前記キャビネット本体は、前記厨房機器の前記露出部分の左右両側に配される２枚の壁板を有し、前記隙間は、前記天板の前縁と前記露出部分と前記２枚の壁板との間にて左右方向に延び、前記目隠し部材は、左右方向に延び、一面が前に向く帯状の目隠し本体と、該目隠し本体の上下両端から後向きに立ち上がり、夫々の一面同士が対向している２つの側片とを有し、２つの前記支持具に前記目隠し部材の左右方向の両端部が装着され、各支持具は、上下方向の長さが前記２つの側片の上下方向の離隔距離よりも短く、前記磁石を介して前記目隠し本体の後面に装着される装着部と、前記２枚の壁板の近い方に固定される固定部とを有することを特徴とする。
【００１２】
本実施の形態にあっては、２つの側片が目隠し本体の上下両端部から後向きに立ち上がる。故に、目隠し部材によって、厨房機器と天板との間の隙間を前側及び上下両側から目隠しすることができる。
支持具の装着部の上下方向の長さは、目隠し部材の２つの側片の上下方向の離隔距離よりも短い。故に、目隠し部材の位置を上下方向に調整することができる。
【００１３】
本実施の形態に係るキッチンキャビネットは、前記支持具は、前記磁石を介して前記目隠し部材が装着される装着部と、前後方向に延びる長孔が設けられており、該長孔を通して前記キャビネット本体にビス留め固定される固定部とを有することを特徴とする。
【００１４】
本実施の形態にあっては、支持具の固定部の長孔に挿通されたビスによって、支持具がキャビネット本体に仮留めされる。支持具がキャビネット本体に仮留めされている間、支持具の位置を前後方向に調整することができる。この結果、目隠し部材の位置を前後方向に調整することができる。目隠し部材の前後方向が決定した後で、支持具はキャビネット本体にビス留め固定される。
【００１５】
本実施の形態に係るキッチンキャビネットは、前記支持具は磁性体製であり、前記目隠し部材に前記磁石が取り付けられていることを特徴とする。
【００１６】
本実施の形態にあっては、支持具が磁性体製であり、目隠し部材に磁石が固定される。磁石は支持具に吸着する。故に、目隠し部材の素材は磁性体に限定されない。従って、目隠し部材の素材を選択する自由度が高い。
【発明の効果】
【００１７】
本実施の形態のキッチンキャビネットによれば、キッチンキャビネットの美観を向上させることができる。
【図面の簡単な説明】
【００１８】
【図１】実施の形態１に係るキッチンキャビネットを示す斜視図である。
【図２】キャビネット本体を示す斜視図である。
【図３】目隠し部材の取り付けを説明するための斜視図である。
【図４】目隠し部材の断面及び支持具を示す平面図である。
【図５】目隠し部材の断面及び支持具を示す側面図である。
【図６】目隠し部材の取り付けを説明するための拡大斜視図である。
【図７】目隠し部材の位置調整を説明するための拡大斜視図である。
【図８】実施の形態２に係るキッチンキャビネットを示す分解斜視図である。
【発明を実施するための形態】
【００１９】
以下、本発明を、その実施の形態を示す図面に基づいて詳述する。以下の説明では、図において矢符で示す上下、前後、及び左右を使用する。
【００２０】
実施の形態  １．
図１は、実施の形態１に係るキッチンキャビネットを示す斜視図である。
図中１はキッチンキャビネットであり、キッチンキャビネット１はキャビネット本体２を備える。
キャビネット本体２は、前側が開口している矩形箱状をなす。キャビネット本体２の内部は収容空間である。キャビネット本体２の左上隅部及び右上隅部には２つの抽斗１１，１１が収容される。各抽斗１１は前後方向に出没可能である。キャビネット本体２の開口の抽斗１１，１１よりも下側の部分は、扉１２，１２によって開閉される。扉１２，１２は観音開き戸である。
【００２１】
キャビネット本体２は、左右方向に長い矩形状の天板２１を備える。天板２１の左右方向中央部には、図示しない矩形状の開口が設けられている。
【００２２】
キッチンキャビネット１には、ビルトインコンロ３が組み込まれる。
ビルトインコンロ３のコンロ本体３１は、キャビネット本体２の天板２１の開口を通してキャビネット本体２の内部に落とし込まれる。コンロ本体３１の上部には、３つのバーナ３１１，３１１，３１１と図示しないフランジとが設けられている。コンロ本体３１のフランジが天板２１の開口の周縁部に上側から当接することによって、コンロ本体３１は天板２１に吊り下げ支持される。バーナ３１１，３１１，３１１は天板２１の開口から上側に突出する。
【００２３】
ビルトインコンロ３の天板３２は矩形状をなす。天板３２には３つの貫通孔が設けられている。天板３２は、バーナ３１１，３１１，３１１が３つの貫通孔を貫通するようにして、天板２１の開口を上側から覆う。
【００２４】
コンロ本体３１の内部には、魚焼きグリルが設けられている。コンロ本体３１の前部には、魚焼きグリルの扉と、バーナ３１１，３１１，３１１及び魚焼きグリル夫々の点火、消火、及び火力調整を行なうための操作部とが設けられている。コンロ本体３１の前部は、天板２１の下側にてキャビネット本体２の前側の開口から露出する露出部分である。抽斗１１，１１がキャビネット本体２に没入している場合、抽斗１１，１１夫々の前板は、コンロ本体３１の前部の左右両側に隣り合う。
【００２５】
図２は、キャビネット本体２を示す斜視図である。ただし、図２において天板２１の図示は省略されている。
キャビネット本体２は、２枚の側板２２，２２、背板２３、及び底板２４を備える。側板２２，２２、背板２３、及び底板２４夫々は矩形状をなす。
側板２２，２２は、夫々の一端面が床に接し、夫々の一面が対向するようにして、左右方向に離隔している。背板２３は、側板２２，２２夫々の後辺部に架け渡されている。底板２４は、背板２３及び側板２２，２２夫々の下辺部に架け渡されている。天板２１（図１参照）は、背板２３及び側板２２，２２夫々の上辺部に架け渡されている。
【００２６】
各側板２２の前下隅部は矩形状に切り欠かれている。側板２２，２２夫々の切り欠きの周縁部に亘って、帯状の蹴込板２５が取り付けられている。
側板２２，２２に亘って、戸当たり桟２６が取り付けられている。戸当たり桟２６は帯状をなし、側板２２，２２夫々の前辺部、且つ、側板２２の上下方向中心部よりも上寄りに配されている。戸当たり桟２６はキャビネット本体２の開口を上下に２分割する。キャビネット本体２の開口の下側は、扉１２，１２（図１参照）によって開閉される。
【００２７】
キャビネット本体２の戸当たり桟２６よりも上側の収容空間は、２枚の壁板２７，２７によって左右方向に３つに区画されている。３つに区画された収容空間の内、左右両側に抽斗１１，１１が収容され、中央にコンロ本体３１が収容される（夫々図１参照）。つまり、壁板２７，２７は、コンロ本体３１の左右両側に配される。
各壁板２７は矩形状をなす。壁板２７は背板２３から戸当たり桟２６に亘る。壁板２７の一面はコンロ本体３１に対向する。抽斗１１，１１がキャビネット本体２に没入している場合、抽斗１１，１１夫々の前板は、壁板２７，２７夫々の前端面を覆う（後述する図４参照）。
【００２８】
左側の側板２２と左側の壁板２７とに亘って、横桟２８が取り付けられている。横桟２８は、側板２２及び壁板２７夫々の前上隅部に配されている。同様に、右側の側板２２と右側の壁板２７とに亘って、横桟２８が取り付けられている。
【００２９】
天板２１の前縁とコンロ本体３１の前部と壁板２７，２７との間には、左右方向に延びる隙間が生じる。この隙間を目隠しするために、図１に示す目隠し部材４が用いられる。目隠し部材４の左右方向の両端部に、支持具５，５が装着される。
【００３０】
図３は、目隠し部材４の取り付けを説明するための斜視図である。
図４は、目隠し部材４の断面及び支持具５を示す平面図である。
図５は、目隠し部材４の断面及び支持具５を示す側面図である。
図３〜図５に示すように、目隠し部材４は、目隠し本体４１、２つの舌片４２，４２、及び２つの側片４３，４３を一体に備える。
【００３１】
目隠し本体４１は帯状をなす。目隠し部材４は、目隠し本体４１の一面が前に向き、左右方向に延びるようにして用いられる。
各舌片４２は矩形状をなす。舌片４２，４２は、舌片４２，４２夫々の一面同士が対向するようにして、目隠し本体４１の左右両辺部から後向きに立ち上がる。舌片４２，４２夫々の先端部は、目隠し本体４１の後面に向けて折り返されることによって、始末されている。
【００３２】
各側片４３は矩形状をなす。側片４３，４３は、側片４３，４３夫々の一面同士が対向するようにして、目隠し本体４１の上下両辺部から後向きに立ち上がる。側片４３，４３夫々の先端部は、目隠し本体４１の後面に向けて折り返されることによって、始末されている。
目隠し本体４１の前面、並びに舌片４２，４２及び側片４３，４３夫々の外面は、意匠性が高い（例えば光沢を有する）。目隠し部材４の素材は限定されない。
【００３３】
目隠し本体４１の後面には、シート状の磁石６が取り付けられている。磁石６はネオジム磁石である。磁石６は、磁石６の一面と目隠し本体４１の後面との間に両面テープを介在して、目隠し本体４１に貼り付けられている。目隠し本体４１の左右方向の両端部に、２つの磁石６，６が配されている。磁石６，６夫々は舌片４２，４２から左右方向に適長離隔している。
磁石６，６の目隠し部材４への取り付けは、目隠し部材４の製造時に行なわれてもよく、キッチンキャビネット１の組み立て時に行なわれてもよい。
【００３４】
図２及び図３に示すように、支持具５，５は互いに左右対称である。
各支持具５は強磁性体製（例えばフェライト系ステンレス鋼製）であり、磁石６に吸着する。支持具５は、帯状の鋼板を概ねＬ字状に屈曲させることによって形成されている。更に詳細には、支持具５は、帯状の鋼板を、Ｌ字の一側とＬ字の他側との境界部分がＬ字の内側に凹んだＬ字状に屈曲させることによって形成されている。
【００３５】
以下では、左側の支持具５について詳述する。
図４及び図５に示すように、支持具５は、固定部５１、装着部５２、及び境界部５３を備える。
固定部５１及び装着部５２夫々は短冊状をなす。固定部５１の両面は左右に向けられ、固定部５１の長手方向は前後に向けられる。装着部５２の両面は前後に向けられ、装着部５２の長手方向は前後に向けられる。
境界部５３は、長手方向の中央部で垂直に屈曲された短冊状をなす。境界部５３の長手方向の一側片５３１は矩形状をなす。一側片５３１は、一側片５３１の両面を前後に向けて、固定部５１の前端部から固定部５１に垂直に右側に立ち上がる。境界部５３の長手方向の他側片５３２は矩形状をなす。他側片５３２は、他側片５３２の両面を座右に向けて、装着部５２の左端部から装着部５２に垂直に後側に立ち上がる。一側片５３１及び他側片５３２は互いに垂直であり、一側片５３１の右端部と他側片５３２の後端部とが連続している。
【００３６】
境界部５３によって、固定部５１と装着部５２との間に凹部５４が設けられる。境界部５３の内側の面（一側片５３１の前面及び他側片５３２の左面）が、凹部５４の内面である。
凹部５４の左右方向の長さは、目隠し部材４の舌片４２の先端部（折り返されている部分）の厚みより長い。凹部５４の前後方向の長さは、目隠し部材４の舌片４２の目隠し本体４１からの突出長さより長い。
【００３７】
固定部５１には、２つの長孔５５，５５が設けられている。長孔５５，５５は前後方向に並んでいる。各長孔５５は前後方向に長い。
装着部５２の幅（上下方向の長さ）は、側片４３，４３夫々の内面の上下方向の離隔距離よりも短い。
【００３８】
図１〜図３に示すキャビネット本体２は、まず、天板２１を除く側板２２，２２〜横桟２８，２８が組み立てられる。
側板２２，２２〜横桟２８，２８の組み立て後、支持具５，５は、壁板２７，２７に仮留めされる。各支持具５は、壁板２７の前上隅部に配される。左側の支持具５は、左側の壁板２７の右面に固定部５１の左面が当てられ、長孔５５，５５に挿通された２つのビスによって、仮留めされる。同様に、右側の支持具５は右側の壁板２７に２つのビスによって仮留めされる。
【００３９】
図６は、目隠し部材４の取り付けを説明するための拡大斜視図である。
支持具５，５の仮留め後、目隠し部材４が支持具５，５の装着部５２，５２を前側、左右両側、及び上下両側から覆うようにして、支持具５，５に装着される。目隠し部材４に取り付けられている磁石６，６は、装着部５２，５２に吸着する。
【００４０】
図７は、目隠し部材４の位置調整を説明するための拡大斜視図である。
各支持具５は仮留めされているので、前後方向に位置を調整することが可能である。支持具５，５夫々の前後方向の位置を調整することによって、目隠し部材４の前後方向の位置を調整することができる。
目隠し部材４の前後方向の位置が決定された後で、支持具５，５は壁板２７，２７にビス留め固定される。
【００４１】
支持具５，５の固定後、目隠し部材４が支持具５，５から取り外される。次いで、天板２１が側板２２，２２及び背板２３に取り付けられる（図１〜図３参照）。天板２１の取り付け後、ビルトインコンロ３がキャビネット本体２に組み込まれる。目隠し部材４が取り外された状態で天板２１の取り付け及びビルトインコンロ３の組み込みが行なわれるので、作業性が高い。
【００４２】
ビルトインコンロ３が組み込まれることによって、ビルトインコンロ３のコンロ本体３１と天板２１との間に、前述の隙間が生じる（図５参照）。
ビルトインコンロ３の組み込み後、目隠し部材４が再び支持具５，５に装着され、目隠し部材４の上下左右方向の位置が調整される。目隠し部材４は磁石６，６を介して支持具５，５に装着されているので、目隠し部材４の装着後、目隠し部材４を上下左右方向に位置を調整することが可能である。
【００４３】
図４に示すように、支持具５の凹部５４には目隠し部材４の舌片４２を挿入することが可能である。支持具５に凹部５４が設けられていることによって、支持具５の装着部５２と抽斗１１の前板との間に左右方向の空間的な余裕が形成される。故に、目隠し部材４の位置を左右方向に調整する場合に、目隠し部材４の舌片４２が支持具５又は抽斗１１に干渉することを抑制することができる。
なお、天板２１の取り付け及びビルトインコンロ３の組み込みの際、目隠し部材４が邪魔にならないのであれば、目隠し部材４は支持具５，５に装着されたままでもよい。
【００４４】
以上のようなキッチンキャビネット１によれば、目隠し部材４の目隠し本体４１、舌片４２，４２、及び側片４３，４３が、ビルトインコンロ３のコンロ本体３１の前部とキャビネット本体２の天板２１の前縁との隙間を前側、左右両側、及び上下両側から目隠しすることができる。
目隠し部材４の上下左右方向の位置は調整可能である。また、支持具５，５が完全に固定される前は、目隠し部材４の前後方向の位置が調整可能である。故に、目隠し部材４がコンロ本体３１と天板２１との隙間を適切に目隠しすることができる。従って、キッチンキャビネット１の美観を向上させることができる。
【００４５】
磁石６，６を介して目隠し部材４を支持具５，５に装着することは容易である。
更に、目隠し部材４の着脱及び位置調整は容易である。故に、キッチンキャビネット１を組み立てる際に、又はキッチンキャビネット１の保守点検若しくはビルトインコンロ３の取り換え等の際に、目隠し部材４を一時的に取り外すことができる。
以上のことから、キッチンキャビネット１の施工性及びメンテナンス性を向上させることができる。
【００４６】
なお、キッチンキャビネット１は抽斗１１，１１の一方又は両方を備えていなくてもよい。この場合、キャビネット本体２は、抽斗１１に対応する壁板２７及び横桟２８を備えていなくてもよい。壁板２７及び横桟２８が存在しない場合、支持具５を固定すべき壁板として、側板２２が利用される。
【００４７】
目隠し部材４は磁性体製でもよい。この場合、支持具５は磁性体製でなくてもよい。支持具５が磁性体製ではない場合、磁石６は、支持具５の装着部５２に貼り付けられる。
【００４８】
実施の形態  ２．
【００４９】
図８は、実施の形態２に係るキッチンキャビネット１を示す分解斜視図である。
本実施の形態のキャビネット本体７は、箱体７１，７１と天板７２とを備える。
各箱体７１は天面及び前面が開口している。箱体７１，７１は左右方向に離隔配置される。
各箱体７１の前側の開口は、例えば図示しない開き戸によって開閉される。
【００５０】
支持具５，５は、左側の箱体７１の右側の側板７１１（壁板）及び右側の箱体７１の左側の側板７１１（壁板）に仮留めされる。支持具５，５の仮留め後、支持具５，５に目隠し部材４が装着され、目隠し部材４の前後方向の位置が調整される。目隠し部材４の前後方向の位置が決定された後で、支持具５，５は側板７１１，７１１に固定される。支持具５，５の側板７１１，７１１への仮留め及び固定は、実施の形態１の支持具５，５の壁板２７，２７への仮留め及び固定と同様である。
【００５１】
支持具５，５の固定後、左側の箱体７１の側板７１１と、右側の箱体７１の側板７１１との間に、図示しない厨房機器（例えば食器洗い乾燥機又はオーブンレンジ）が組み込まれる。
厨房機器の組み込み後、箱体７１，７１夫々の上部に天板７２が架け渡される。天板７２は、箱体７１，７１夫々の天面の開口と、厨房機器の天面とを上側から覆う。厨房機器の前部は、天板７２の下側にて前側に露出する露出部分である。厨房機器の前部と天板７２の前縁との間には、左右方向に細長い隙間が生じる。
【００５２】
天板７２の取り付け後、目隠し部材４が再び支持具５，５に装着され、目隠し部材４の上下左右方向の位置が調整される。
以上のようなキッチンキャビネット１は、実施の形態１のキッチンキャビネット１と略同様の作用効果を奏する。
【００５３】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
【符号の説明】
【００５４】
１      キッチンキャビネット
２      キャビネット本体
２１    天板
２７    壁板
３      ビルトインコンロ（厨房機器）
４      目隠し部材
４１    目隠し本体
４２    舌片
４３    側片
５      支持具
５１    固定部
５２    装着部
５４    凹部
５５    長孔
６      磁石
７      キャビネット本体
７１１  側板（壁板）
７２    天板
【図１】
2020028491.tif 000003
【図２】
2020028491.tif 000004
【図３】
2020028491.tif 000005
【図４】
2020028491.tif 000006
【図５】
2020028491.tif 000007
【図６】
2020028491.tif 000008
【図７】
2020028491.tif 000009
【図８】
2020028491.tif 000010